(57)【要約】【課題】回転蓋の適正且つ円滑作動を実現すると共に良好な外観を保証する電子機器を提供する。【解決手段】電子機器の外観面を形成する外装部材１０と、外装部材１０に対して回転可能に軸支される回転蓋２０とを有する。外装部材１０には、回転蓋２０を開状態としたときに、回転蓋２０を外装部材１０の内部に収納するための貫通穴が形成され、回転蓋２０の外観面側には外観曲面部２２と外観平面部２１が形成されるとともに、外観平面部２１の裏面には、回転蓋２０が開状態となったときに貫通穴と回転蓋２０との間に発生する隙間を覆う突状部が形成される。【選択図】図１１
2011130197.tif 000002
【特許請求の範囲】
【請求項１】
電子機器の外観面を形成する外装部材と、前記外装部材に対して回転可能に軸支される回転蓋とを有する電子機器であって、
前記外装部材には、前記回転蓋を開状態としたときに、前記回転蓋を前記外装部材の内部に収納するための貫通穴が形成され、
前記回転蓋の外観面側には外観曲面部と外観平面部が形成されるとともに、前記外観平面部の裏面には、前記回転蓋が前記開状態となったときに前記貫通穴と前記回転蓋との間に発生する隙間を覆う突状部が形成されることを特徴とする電子機器。
【請求項２】
一方端が前記回転蓋に掛けられ、他方端が前記外装部材に掛けられるバネ部材を有し、
前記バネ部材の前記他方端が掛けられるバネ掛け部は、前記貫通穴に突出して形成されることを特徴とする請求項１に記載の電子機器。
【請求項３】
前記外観曲面部の曲率中心は、前記回転蓋の回転中心と略等しいことを特徴とする請求項１又は２に記載の電子機器。
【請求項４】
前記回転蓋を閉状態としたときに、前記回転蓋によって覆われる前記外装部材の領域は平面形状であることを特徴とする請求項１乃至３のいずれか１項に記載の電子機器。
【請求項５】
前記回転蓋を閉状態としたときに、前記回転蓋によって覆われる前記外装部材の領域に外部端子を配置することを特徴とする請求項１乃至４のいずれか１項に記載の電子機器。
【発明の詳細な説明】
【技術分野】
【０００１】
本発明は、ビデオカメラ等の電子機器であって、特に、その閉状態で筐体内部に内蔵される外部端子などを覆い、開状態では筐体内部に収納され、外部端子などを露出させる回転蓋を備えた電子機器に関するものである。
【背景技術】
【０００２】
従来より、電子機器に内蔵され外部機器と映像・音声等を入出力可能な外部端子や、電子機器に対して着脱可能な記録媒体やバッテリ等を保持するスロット等を有する電子機器が広く知られている。防塵防滴や外観からの見た目の観点から、これらの外部端子やスロット部を外観へ露出させないため、スロット部を覆い隠すような蓋部材を用いて、これらの外部端子やスロット部を保護することが多い。この蓋部材の構成として、外部端子等を使用しない場合は外部端子等を外観から覆い隠し、使用する場合は蓋部材が移動し外部端子等を外観に露出させるといったように、電子機器に対して蓋部材が移動可能に構成されるのが一般的である。
【０００３】
このような蓋体構造に関して、例えば特許文献１に開示されるような蓋体構造が知られている。特許文献１における蓋体構造によると、電子機器本体に形成されている開口部を、開口又は閉口される蓋開閉装置において、蓋体は、開口を覆う第一の位置と、スライド移動した第二の位置と、回転して開口を露出させる第三の位置とに移動可能である。この第三の位置は、蓋体が回転して本体外部方向に突出して開口部を露出させるという構成である。また、蓋体の裏面側先端には蓋体の長手方向にリブが形成され、蓋体が第一の位置にあるとき、このリブが電子機器本体側に形成された凹部と嵌合し、蓋閉状態を保持する。尚、前記リブは蓋開状態では特に機能しない。特許文献１ではこのような構造の蓋開閉装置を撮像装置に応用して説明しているが、特許文献１にて実施される撮像装置では以下のような問題が起こる可能性がある。
【０００４】
即ち先ず、撮像装置の底面側に突出する方向へ回転して開状態へと移行する蓋体構造では、三脚に取り付けた際蓋体を開状態に移行できない、若しくは蓋体の開操作の操作性を損ねる。また、ＬＣＤ表示装置と対向する面側に突出する方向へ回転して開状態へ移行する蓋体構造では、蓋体開状態でＬＣＤ表示装置を閉じると、ＬＣＤ表示装置の表示面に傷がついたり破損したりする。これらの問題はユーザーが撮像装置を使用する上で、非常に好ましくないものである。
【先行技術文献】
【特許文献】
【０００５】
【特許文献１】特開２００７−１７３４７３号公報
【発明の概要】
【発明が解決しようとする課題】
【０００６】
前述した特許文献１あるいは別の従来例及びその課題を鑑みた蓋体構造における課題をここで再度整理する。即ち、特許文献１のものでは、蓋体が回転して撮像装置の外部方向に突出して開口部を露出させる。このような蓋体構造の場合、例えば撮像装置の底面側に突出する方向へ回転して開状態へ移行する蓋体構造では、撮像装置を三脚に取り付けた際、蓋体を開状態にできないもしくは蓋体の開操作の操作性を損ねる可能性がある。また、例えば、ＬＣＤ表示装置と対向する面側に突出する方向へ回転して開状態へ移行する蓋体構造では、蓋体開状態でＬＣＤ表示装置を閉じると、ＬＣＤ表示装置に傷がついたり破損する恐れがある。
【０００７】
本発明は従来の課題に鑑みてなされたものであり、回転蓋の適正且つ円滑作動を実現すると共に良好な外観を保証する電子機器を提供することを目的とする。
【課題を解決するための手段】
【０００８】
本発明は、電子機器の外観面を形成する外装部材と、前記外装部材に対して回転可能に軸支される回転蓋とを有する電子機器であって、前記外装部材には、前記回転蓋を開状態としたときに、前記回転蓋を前記外装部材の内部に収納するための貫通穴が形成され、前記回転蓋の外観面側には外観曲面部と外観平面部が形成されるとともに、前記外観平面部の裏面には、前記回転蓋が前記開状態となったときに前記貫通穴と前記回転蓋との間に発生する隙間を覆う突状部が形成されることを特徴とする。
【発明の効果】
【０００９】
本発明によれば、回転蓋が適正且つ円滑作動を実現すると共に良好な外観を保証する電子機器を提供することができる。
【図面の簡単な説明】
【００１０】
【図１】本発明に係る撮像装置の蓋開時の斜視図である。
【図２】本発明に係る撮像装置の蓋閉時の斜視図である。
【図３】本発明の実施形態における外部端子蓋の表面側斜視図である。
【図４】本発明の実施形態における外部端子蓋の裏面側斜視図である。
【図５】本発明の実施形態における外装部材収納部の斜視図である。
【図６】本発明の実施形態における外装部材収納部の正面図である。
【図７】図６におけるβ−β線に沿う断面図及びγ部拡大図である。
【図８】本発明の実施形態における外部端子蓋構造の背面斜視図である。
【図９】本発明の実施形態における外部端子蓋構造の背面斜視図である。
【図１０】本発明の実施形態における外部端子蓋の開閉作動をＸ視方向に見て示す図である。
【図１１】本発明の実施形態における外部端子蓋閉状態を示す斜視図である。
【図１２】本発明の実施形態における外部端子蓋開状態を示す斜視図である。
【図１３】本発明の実施形態における外部プラグ挿入時の状態を示す斜視図である。
【図１４】本発明の実施形態における外部端子蓋閉状態を示す正面図である。
【図１５】本発明の実施形態における外部端子蓋の開閉状態をそれぞれ示す図１４におけるε−ε線に沿う断面図である。
【発明を実施するための形態】
【００１１】
以下、添付図面に従って、本発明による電子機器における蓋体構造の好適な実施の形態について詳細に説明する。
本発明のこの実施形態において、電子機器の一例として撮像装置に応用した場合の例で説明する。図１及び図２は、本実施形態に係る撮像装置の斜視図である。なお、前述した従来例と同様の構成要素については、同一の符号を付し詳細説明を省略する。
ここで、図１中の矢印にて示す方向を、以下の文中でＸ方向、Ｙ方向、Ｚ方向と定める。また、各図における各要素において、図１に示すＺ方向側の面を表面側、Ｚ方向と逆側の面を裏面側と記載する。
【００１２】
図１及び図２において、１は被写体を撮像するためのレンズや撮像した画像を電気信号に変換するセンサ等を含む撮像装置本体、２は撮像した画像を表示可能な表示装置である。３は撮像装置本体１に対して表示装置２を、図１に示す開位置と図２に示す閉位置に開閉可能に結合するヒンジ部、４は撮像装置本体１に電源を供給するバッテリである。１０は撮像装置本体１の一面を成す筐体であり、表示装置２の閉状態で対向する面に配される外装部材である。２０は外装部材１０の底面側（Ｙ方向下側）に配置され、裏面側に外装部材１０に保持された外部端子を有すると共に、外部端子を覆う閉位置（閉状態）と外部端子を露出させる開位置（開状態）に移動可能な回転蓋として機能する外部端子蓋である。
【００１３】
本撮像装置をユーザーが使用する際、ユーザーはバッテリ４を撮像装置本体１に装着し撮像装置本体１に電源を供給させ、撮像装置本体１側を把持した状態で撮影を行う。この時、図１に示すように表示装置２を、撮像装置本体１に対して回転させ、表示装置２を撮影状態で視認可能な位置に移動させることで、ユーザーは撮影画像を確認しながら撮影を行うことが可能となる。撮影を終了した際、ユーザーは図２に示す位置に表示装置２を回転させ収納することで、未使用時、表示装置２の表示面を保護することができる。
【００１４】
ここで、仮に外部端子蓋２０が表示装置２側に突出して開位置に移動するような蓋構造である場合とする。この場合、外部端子蓋２０を開状態で表示装置２を収納すると、表示装置２の表示面と外部端子蓋２０が接触することとなり、表示装置２の表示面を傷つけたり破損させてしまう恐れがある。また、本実施形態では外部端子蓋２０が撮像装置本体１の底面側に配置されている。仮に、外部端子蓋２０が撮像装置本体１の底面側に突出して開位置に移動するような蓋構造である場合とする。この場合、図示しない撮像装置本体１の底面（Ｙ方向下側の面）に設けられた三脚ネジを利用し、本撮像装置を三脚に取り付けた際、三脚と干渉し外部端子蓋２０を開位置移動できない、あるいは開操作感を損ねるといった恐れがある。
【００１５】
これらの問題を回避するため、本実施形態における外部端子蓋２０の開閉構造は、閉位置において外装部材１０より表示装置２側へ突出させず、更に開位置に移動する際は撮像装置本体１の内部に回転して収納される蓋構造をとるものとする。
また、外装部材１０の表面側（外観側）は、その外装面として平面にて構成される。外部端子蓋２０の外観部はこの外装部材１０の平面で形成された外観面に合わせた平面部を有する。仮に、外部端子蓋２０の外観部を、外部端子蓋２０の回転軸から描かれる円弧形状で形成した場合、外装部材１０と外部端子蓋２０との間に隙間が発生し、蓋閉状態で外観品位を損ねてしまうこととなる。
【００１６】
（外部端子蓋・外装部材）
図３及び図４に外部端子蓋２０の斜視図を示す。図２は外部端子蓋２０の表面側から見た斜視図であり、図４は外部端子蓋２０の裏面側から見た斜視図である。なお、図１及び図２と同様の構成要素には同一の符号を付し、詳細な説明を省略する。
図３及び図４において、２１は外部端子蓋２０の外観面側に、外装部材１０の平面で形成された外観部に合わせた外観平面部、２２は外部端子蓋２０の外観面側に、外部端子蓋２０の回転軸２４ａを中心とする円弧形状で形成された外観曲面部である。すなわち、外観曲面部２２の曲率中心は外部端子蓋２０の回転中心と略等しい。なお、外観曲面部２２は、外観平面部２１の回転軸２４ａの側に連設される。２３ａは外部端子蓋２０のＸ方向の一端に形成され裏面側に突出する腕部、２３ｂは外部端子蓋２０のＸ方向のもう一端に形成され裏面側に突出する腕部である。
【００１７】
２４ａは腕部２３ａにＸ方向と逆方向に突出するように形成された外部端子蓋２０の回転軸、２４ｂは腕部２３ｂにＸ方向に突出するように形成された外部端子蓋２０の回転軸である。２５ａは腕部２３ａに形成された開ストッパー部、２５ｂは腕部２３ｂに形成された開ストッパー部、２６は腕部２３ａに形成されたバネ掛穴である。２７は外部端子蓋２０の外観平面部２１の裏面側にＸ方向に延在するように形成されたリブ部（突起形状とした突状部）であり、外観曲面部２２とは反対側の外観平面部２１の端部側にてＸ方向に沿って形成される。２８は外部端子蓋２０の外形からのＹ方向に突出した蓋指掛凸部、２９は蓋指掛凸部２８に形成され外観平面部２１より奥行き方向に一段内側に凹状をなして形成された蓋指掛凹部である。
【００１８】
図５に外装部材１０における、外部端子蓋２０の収納部の詳細図を表す。図５は外装部材１０の表面側から見た斜視図である。図５において、１１は外装部材１０の一面に奥行き方向（Ｚ方向と逆方向）に凹んで形成され、即ち凹設され閉状態の外部端子蓋２０を収容する収納部である。１１ａは収納部１１の奥行き方向の面を形成する凹面である。ここで、外部端子蓋２０は回転軸２４ａ,２４ｂを介して、収納部１１の内側にて回転可能に軸支される。１２は収納部１１内に形成され外部端子蓋２０が閉状態から開状態に移動する際に、外部端子蓋２０が潜り込んで、外装部材１０の内部に収納される貫通穴である。１３ａ、１３ｂ及び１３ｃは凹面１１ａに形成され外装部材１０に締結される外部端子を露出させる端子開口である。端子開口１３ａ、１３ｂ、１３ｃは外部端子蓋２０が閉状態のときに、外部端子蓋２０によって覆われる領域に配置されている。また、端子開口１３ａ、１３ｂ、１３ｃが形成される領域は平面形状となっている。１４は貫通穴１２の奥行き方向に形成されたバネ掛ボスである。バネ掛ボス１４は貫通穴１２に突出して形成されている。１５は凹面１１ａに表示され外部端子の種類を表す刻印部、１６は収納部１１のＹ方向上側に設けられる外装開指掛凹部、１７は収納部１１のＹ方向下側に設けられる外装閉指掛凹部である。そして外部端子蓋２０は、収納部１１の凹面１１ａを覆う第一の位置と、該凹面１１ａを露出させる第二の位置に回転移動する。
【００１９】
図６及び図７に、外装部材１０における収納部１１まわりを成形するための金型構造を示す。図６は収納部１１の正面図である。図７（ａ）は図６に示す一点鎖線β−βに沿った断面を、図中の矢印方向から見た断面図である（β−β断面）。図７（ｂ）は図７(ａ)において二点鎖線で示すγ部の詳細を示す部分拡大図である。
【００２０】
図７（ｂ）の断面図において、斜線（小ピッチの右下がりのハッチング）で表される範囲Ｖが固定金型範囲であり、網掛け線で表される範囲Ｗが可動金型範囲である。本実施形態における外装カバー１０では、バネ掛ボス１４が貫通穴１２の奥行き方向にて固定金型及び可動金型によって成型される。仮に、このバネ掛ボス１４を貫通穴１２外の例えば凹面１１ａの裏面側等で成型しようとすると、固定金型内に内スライド金型を伴う複雑な型構造となり金型費がアップし、結果外装カバー１０単部品のコストアップに繋がってしまう。
【００２１】
本実施形態では従来構造である内スライド金型を使用したバネ掛け部の成型方法に対して、バネ掛ボス１４を貫通穴１２の奥行き方向で固定金型及び可動金型によって成型するためコスト上有利である。また、図７（ａ）の寸法Ｓ及び寸法Ｔは、固定側金型及び可動側金型の先端肉厚寸法を表す。この金型先端肉厚が薄いと、外装部材１０の量産時、金型の破損等の問題が起こり、金型補修や作り変え等の対策により、やはり部品単価のコストアップに繋がってしまう。そこで本実施形態では、図７（ｂ）に示すように、バネ掛ボス１４を３／４円柱形状で形成し、固定側金型の先端肉厚寸法Ｓを確保している。即ち、固定金型の先端上縁部をバネ掛ボス１４の円中心まで近づけ、その厚さを増加させる。このことにより外装部材１０の量産性をアップさせ、外装部材１０の部品単価のコストダウンが実現可能である。
【００２２】
（外部端子蓋・外部端子基板の組み付け）
図８は外装部材１０、外部端子蓋２０及びトーションバネ３０の組み付け状態を表す。この図８は外装部材１０の裏面側から見た斜視図である。１８ａ,１８ｂは外装部材１０の外装部材裏面側に突出する方向（Ｚ方向と逆方向）に設けられた立壁部である。そして、１９ａ,１９ｂは立壁部１８ａ,１８ｂにそれぞれ設けられたＵ字溝、３０は外部端子蓋２０を閉状態で閉方向へ、開状態で開方向へ付勢するバネ部材としてのトーションバネである。３１はトーションバネ３０の一端側にＸ方向と逆方向に延在するように設けられたバネ端、３２はトーションバネ３０のもう一端側に円形状に設けられたバネ端である。
【００２３】
外部端子蓋２０及びトーションバネ３０を外装部材１０に組み付ける際、先ずトーションバネ３０の一方端であるバネ端３１を外部端子蓋２０のバネ掛穴２６に嵌合させる。この状態で外装部材１０の裏面側から、外部端子蓋２０を回転させながら貫通穴１２に潜り込ませる。その後、外装部材１０のＵ字溝１９ａ,１９ｂに外部端子蓋２０の回転軸２４ａ,２４ｂを嵌合させ、外部端子蓋２０が収納部１１を覆う位置まで回転移動させる。ここで、トーションバネ３０を締め付け方向にチャージさせながら、トーションバネ３０の他方端であるバネ端３２をバネ掛ボス１４に引っ掛ける。この状態で、円柱形状を成す回転軸２４ａ,４ｂとＵ字溝１９ａ,１９ｂが嵌合しているため、外部端子蓋２０の回転移動軌跡が回転軸２４ａ,２４ｂを回転中心とするように規制される。更に、トーションバネ３０はこの状態で外部端子蓋２０を閉方向へ付勢するため、外部端子蓋２０はこの段階で閉状態に保持される（なお、付勢構造の詳細は図１０に示す）。このようにトーションバネ３０は、外部端子蓋２０をその第１の位置及び第二の位置に保持可能な付勢部材として機能する。
【００２４】
図９は図８の状態から更に、外部端子基板４０及びホルダー部材５０を外装部材１０に組み付けた図を表す。更に、図９では外部端子基板４０及びホルダー部材５０を組み付け後、外部端子蓋２０を回転させて開状態に移動させている。図９において、４０は外部端子を実装する外部端子基板、４１は映像情報を入出力するコンポーネント端子、４２は映像・音声を入出力するＡＶ端子、４３は操作情報を入力するリモコン端子である。４４は外部端子基板４０と撮像装置本体１内部の図示しない情報処理基板と電気信号を通信するインターフェースであるコネクタ、４５ａ,４５ｂは基板ビス、５０は板金で作成されたホルダー部材、５１ａ,５１ｂはホルダービスをそれぞれ表す。
【００２５】
外部端子基板４０はコンポーネント端子４１、ＡＶ端子４２及びリモコン端子４３を実装し、外部の電子機器と撮像装置との間で映像・音声等の情報を入出力可能とする。各端子に入出力される情報は、外部端子基板４０上に実装されるコネクタ４４を通して、撮像装置本体１内部の図示しない情報処理基板と通信する。ここで、外部端子蓋２０はホルダー部材５０を組み込むまで閉状態にしておく。先ず、外部端子基板４０はホルダー部材５０に基板ビス４５ａ,４５ｂによって締結し一体化される。この状態でホルダー部材５０は外装部材１０の裏面側から組み込み、ホルダービス５１ａ,５１ｂによって外装部材１０の裏面側に締結固定される。この時、外部端子蓋２０はトーションバネ３０によって閉方向に付勢されているため閉状態が維持されており、ホルダー部材５０の組み付け時も、組立上邪魔になることはない。
【００２６】
ホルダー部材５０を組み付けると、外部端子基板４０上のコンポーネント端子４１、ＡＶ端子４２及びリモコン端子４３はそれぞれ、外装部材１０の凹面１１ａに形成された端子開口１３ａ、１３ｂ及び１３ｃ（図５参照）と嵌合する。そして、端子開口１３ａ、１３ｂ及び１３ｃより各端子のプラグ挿入口が露出する。ホルダー部材５０の組み付け状態では、ホルダー部材５０がＵ字溝１９ａ,１９ｂの開放端側を覆う。このため外部端子蓋２０はＺ方向と逆方向の移動が規制される。そして、図９に示すように外部端子蓋２０を回転移動させ開状態に移動可能となる（ホルダー部材５０組み付け前に外部端子蓋２０を開方向へ移動させると、Ｕ字溝１９ａ,１９ｂの開放端より外部端子蓋２０が脱落する）。このとき外部端子蓋２０の開ストッパー部２５ａ,２５ｂはホルダー部材５０と当接し、開き角度を規制する。また、この状態でトーションバネ３０は外部端子蓋２０の回転移動に伴って回転移動し、外部端子蓋２０を開方向へ付勢する（付勢構造の詳細は、図１０に示す）。
【００２７】
図１０（ａ）に外部端子蓋２０が閉方向に付勢されている付勢構造の詳細図を表す。本図では主に外装部材１０、外部端子蓋２０及びトーションバネ３０のみの構成要素を表示し、その他については図示を省略する。また、図示を分かり易くするため、外装部材１０及び外部端子蓋２０を透かした状態で表示する。
【００２８】
図１０（ａ）は、外部端子蓋２０の付勢構造をＸ方向視（図３、図４参照）で見た図である。この状態で回転軸２４ａとＵ字溝１９ａが嵌合しているため、外部端子蓋２０は回転軸２４ａを中心とした回転方向に回転移動が規制される。また、本図では図示しないが、Ｕ字溝１９ａの開放端側はホルダー部材５０（図９参照）で覆われ、外部端子蓋２０のＺ方向と逆方向への移動が規制される。
【００２９】
ここで、トーションバネ３０の一方のバネ端３１は外部端子蓋２０のバネ掛穴２６に嵌合され、もう一方のバネ端３２は外装部材１０のバネ掛ボス１４に係止されている。そのためトーションバネ３０組み付け時、バネ締り方向にチャージさせて組み込まれることから、トーションバネ３０は図１０（ａ）の位置にて直線矢印Ａの方向へバネ開き力が働く。外部端子蓋２０はその移動方向が、回転軸２４ａを中心とした回転方向に規制されているため、バネ掛穴２６に矢印方向の力がかかることにより、図中の回転矢印Ｂの方向（蓋閉方向）に付勢され、蓋閉状態を維持する。なお、蓋閉じ状態では、外部端子蓋２０のＹ方向上側の面が、外装部材１０の収納部１１のＹ方向上側をなす面１１ｂ（図５参照）と当接し、外部端子蓋２０の閉角度を規制する。
【００３０】
図１０（ｂ）に外部端子蓋２０が開方向に付勢されている付勢構造の詳細図を表す。本図では主に外装部材１０、外部端子蓋２０及びトーションバネ３０のみの構成要素を表示し、その他については図示を省略する。また、図示を分かり易くするため、外装部材１０及び外部端子蓋２０を透かした状態で表示する。
【００３１】
図１０（ｂ）は、外部端子蓋２０開状態の付勢構造をＸ方向視で見た図である。なお、図１０（ａ）と同様の構成要素については詳細な説明を省略する。外部端子蓋２０が閉位置から開位置に移動する際、トーションバネ３０の一方のバネ端３２は外装部材１０のバネ掛ボス１４に係止されているため、その位置を維持する。もう一方のバネ端３１は外部端子蓋２０のバネ掛穴２６に嵌合されているため、外部端子蓋２０の回転移動に伴って、バネ掛ボス１４を回転中心に回転移動する。このバネ端３１の移動と共にトーションバネ３０全体がバネ掛ボス１４を回転中心に回転移動し、図１０（ｂ）の位置に保持される。このときトーションバネ３０は、図１０（ｂ）の位置にて直線矢印Ａ′の方向へバネ開き力が働く。外部端子蓋２０はその移動方向が、回転軸２４ａを中心とした回転方向に規制されているため、バネ掛穴２６に矢印方向の力がかかることにより、図中の回転矢印Ｂ′の方向（蓋開方向）に付勢され、蓋開状態を維持する。なお、蓋開状態では、外部端子蓋２０の開ストッパー部２５ａ,２５ｂがホルダー部材５０に当接し、外部端子蓋２０の開角度を規制する。
【００３２】
（外部端子蓋開閉時の外観・リブの機能）
図１１に外部端子蓋２０の閉状態を、図１２に外部端子蓋２０の開状態を、図１３に外部端子蓋２０の開状態にて各外部端子に外部プラグを挿入した状態を、外装部材１０の表面側から見た斜視図でそれぞれ示す。また、図１４に外部端子蓋２０閉状態の正面図を示す。そして、図１４中の一点鎖線ε−ε断面を図中の矢印方向から見た断面図を、図１５（ａ）（ε−ε断面（CLOSE））に示す。また、同様に外部端子蓋２０の開状態での断面図を図１５（ｂ）に示す（ε−ε断面（OPEN））。
【００３３】
図１１に示すように外部端子蓋２０は閉状態で、外部端子蓋２０の外観平面部２１と略平面で形成された外装部材１０の外観面が、略同一面をなしている。このように構成することで、外部端子蓋２０と外装部材１０との間に隙間が発生せず、外観品位を保つことが可能となる。更に外部端子蓋２０に外観平面部２１を設けることで、その表面に刻印等の印字を視認性良好に配置することが可能となる。また、外部端子蓋２０のＹ方向下側の外観面は、回転軸２４ａを中心とした円弧状の外観曲面部２２で構成される。もし仮に、この部位も平面で構成すると、外部端子蓋２０の回転軌跡を描く円が大きくなり、収納部１１をＹ方向下側に大きく広げる必要が出てきてしまうことで、撮像装置自体の大型化を招いてしまう。この問題に鑑みて本実施形態における外部端子蓋２０では、外観面のＹ方向上側を外観平面部２１で、また下側を外観曲面部２２で構成することにより、外観品位を保ちつつ、撮像装置の小型化に寄与している。
【００３４】
また、図１１及び図１５（ａ）（ε−ε断面（CLOSE））において、ユーザーが外部端子蓋２０を操作して開き方向へ移動させたい場合、ユーザーは外装部材１０の外装開指掛凹部１６に指を入れ、外部端子蓋２０の蓋指掛凸部２８を操作する。
【００３５】
（蓋閉時リブ部効果）
図１５（ａ）中の二点鎖線の円部に示されるように、外部端子蓋２０が閉状態の時、該外部端子蓋２０のリブ部２７が外装部材１０の凹面１１ａに近接している。リブ部２７と凹面１１ａが近接可能としていることにより、外部端子蓋２０が外部からＺ方向と逆方向に力を加えられても、リブ部２７が凹面１１ａと当接するため、外部端子蓋２０が変形して破損したり、蓋タワミによる外観品位の劣化を防止することができる。また、同様な機能を得るため、凹面１１ａ側からＺ方向に突出するような静圧受けリブを配置することも考えられる。この場合、凹面１１ａに配置される刻印部１５（図５参照）の形成範囲を狭めてしまうこととなる。更に、リブ部２７と凹面１１ａは蓋閉状態で予め当接させておいてもよい。
【００３６】
このように外部端子蓋２０の蓋閉時、そのリブ部２７は外部から静圧を受けた際、凹面１１ａと当接し、外部端子蓋２０の変形を防止する静圧受けリブとしての機能を発揮する。また、凹面１１ａに静圧リブを設けた場合と比較して、凹面１１ａ側に刻印部１５を良好に配置可能となる。
【００３７】
（蓋開時リブ部効果）
図１２において、外部端子蓋２０の開状態が示される。図示のように、リブ部２７が貫通穴１２（図５をも参照）を覆っている。この時、図１５（ｂ）に示すようにリブ部２７は、外装部材１０の凹面１１ａに近接する。このため外部端子蓋２０の開状態でも、貫通穴１２を通して撮像装置内部の構成部材が見えてしまうのを防止できる。図１２及び図１５（ｂ）に示される状態にて、ユーザーが外部端子蓋２０を操作して閉じ方向へ移動させたい場合、ユーザーは外装部材１０の外装閉指掛凹部１７と、外部端子蓋２０の蓋指掛凹部２９との間に指を入れて外部端子蓋２０を操作する。ここで寸法Ｕは、外装閉指掛凹部１７と、蓋指掛凹部２９との間の距離を示す。蓋指掛凹部２９を設けることによって、ユーザーが指を挿入する隙間である寸法Ｕを広くとることが可能となる。
【００３８】
仮に、外装閉指掛凹部１７の凹量を大きくしていくと、そのままでは外装部材１０の底面側の外観面が削られ（底面側に貫通穴が空く）、外観品位を劣化させてしまう。尚、本実施形態では図１５に示すように凹面１１ａの一部１１ａ1を減肉しているが、凹面１１ａを平面で形成してもよい。また、リブ部２７と凹面１１ａは、蓋開状態で相互に当接させてもよい。
【００３９】
このように外部端子蓋２０の蓋開時、そのリブ部２７は凹面１１ａと近接し貫通穴１２を覆い、外部から撮像装置内部を視認不可能にする目隠しとしての機能を発揮する。更に外部端子蓋２０に蓋指掛凹２９を設けることで、ユーザーが蓋開操作する際の指を入れる隙間を確保すると同時に、外装部材１０の外観面を削ることなく、外観品位の劣化も防止できる。
【００４０】
図１３に、外部端子蓋２０の開状態で、各外部端子に外部プラグを挿入した状態を示す。同図において６０ａはコンポーネントプラグ、６０ｂはＡＶプラグ、６０ｃはリモコンプラグをそれぞれ表す。各プラグはそれぞれ、コンポーネント端子４１、ＡＶ端子４２、リモコン端子４３と電気的に接続し、映像や音声情報、撮像装置の操作情報などを本撮像装置と外部の電子機器とで入出力する。外部端子蓋２０はこれらのプラグを挿入する際、邪魔にならない位置まで回転移動し、開位置を保持される必要がある。本実施形態では、コンポーネントプラグ６０ａ、ＡＶプラグ６０ｂ及びリモコンプラグ６０ｃに対して図示のような開き角度に設定している。更に外部端子の種類、外部端子の配置位置、挿入される外部端子のプラグ形状に応じて、開き角度を適宜調整していくことで、本発明を有効に適用可能となる。
【００４１】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
また、本発明をビデオカメラ等の撮像装置に適用した例を説明したが、本発明はその他の電子機器に対しても同様に、有効且つ効果的に適用である。
【符号の説明】
【００４２】
１…撮像装置本体、２…表示装置、３…ヒンジ部、４…バッテリ、１０…外装部材、１１…収納部、１１ａ…凹面、１２…貫通穴、１３…端子開口、１４…バネ掛ボス、１５…刻印部、１６…外装開指掛凹部、１７…外装閉指掛凹部、２０…外部端子蓋、２１…外観平面部、２２…外観曲面部、２４…回転軸、２５…開ストッパー部、２６…バネ掛穴、２７…リブ部、２８…蓋指掛凸部、２９…蓋指掛凹部、３０…トーションバネ、３１，３２…バネ端、４０…外部端子基板、４１…コンポーネント端子、４２…ＡＶ端子、４３…リモコン端子、５０…ホルダー部材、６０ａ…コンポーネントプラグ、６０ｂ…ＡＶプラグ、６０ｃ…リモコンプラグ。
【図１】
2011130197.tif 000003
【図２】
2011130197.tif 000004
【図３】
2011130197.tif 000005
【図４】
2011130197.tif 000006
【図５】
2011130197.tif 000007
【図６】
2011130197.tif 000008
【図７】
2011130197.tif 000009
【図８】
2011130197.tif 000010
【図９】
2011130197.tif 000011
【図１０】
2011130197.tif 000012
【図１１】
2011130197.tif 000013
【図１２】
2011130197.tif 000014
【図１３】
2011130197.tif 000015
【図１４】
2011130197.tif 000016
【図１５】
2011130197.tif 000017